(57)【特許請求の範囲】
【請求項１】
送信機から受信機へ送られたパケットの少なくとも１つの伝送を、中継器において受信することと、
前記パケットを復号するために前記少なくとも１つの伝送を、前記中継器において処理することと、ここにおいて、前記少なくとも１つの伝送を処理することは、前記パケットが正しく復号されるまで、無線周波数（ＲＦ）リピータとして動作して、（ｉ）前記送信機から受信された信号を再調整してリピート信号を生成することと、（ｉｉ）前記中継器から前記受信機へ前記リピート信号を送信することと、を含む、
前記中継器において、前記パケットを正しく復号した後に、メッシュノードとして動作して、前記復号されたパケットに基づいて前記パケットの少なくとも１つの追加伝送を生成することと、
前記パケットの前記少なくとも１つの追加伝送を前記中継器から前記受信機へ送ることと、
を含む、無線通信のための方法。
【請求項２】
前記パケットの前記少なくとも１つの伝送および前記少なくとも１つの追加伝送が、前記パケットに対する異なる冗長情報を含むハイブリッド自動再送要求（ＨＡＲＱ）伝送である、請求項１に記載の方法。
【請求項３】
前記パケットの各前記少なくとも１つの追加伝送後に、前記受信機からの肯定応答（ＡＣＫ）を探索することと、
前記ＡＣＫが受信されない場合、前記パケットの別の追加伝送を送ることと、
前記ＡＣＫが受信された場合、前記パケットの伝送を終了することと、
をさらに含む、請求項１に記載の方法。
【請求項４】
前記送信機からの前記パケットの各前記少なくとも１つの伝送の後に、前記パケットが正しく復号されたかどうかを決定することと、
前記パケットが正しく復号された場合、肯定応答（ＡＣＫ）を前記送信機へ送ることと、
をさらに含む、請求項１に記載の方法。
【請求項５】
前記パケットに対する少なくとも１つの割当を受信することをさらに含み、前記少なくとも１つの割当が、基地局から端末へ送られ、前記中継器によって傍受され、または前記基地局から前記中継器へ送られ、前記基地局が前記送信機もしくは前記受信機である、請求項１に記載の方法。
【請求項６】
前記パケットに対する少なくとも１つの割当を受信することと、
前記少なくとも１つの割当に基づいて前記パケットに対して割り当てられた資源を決定することとをさらに含み、前記少なくとも１つの伝送が前記割り当てられた資源上で受信され、および前記少なくとも１つの追加伝送が前記割り当てられた資源上で送られる、
請求項１に記載の方法。
【請求項７】
前記パケットに対する少なくとも１つの割当を受信することと、
前記少なくとも１つの割当に基づいて前記パケットに対するパケットフォーマットを決定することとをさらに含み、前記少なくとも１つの伝送が前記パケットフォーマットに従って処理され、および前記少なくとも１つの追加伝送が前記パケットフォーマットに従って生成される、
請求項１に記載の方法。
【請求項８】
前記パケットの前記少なくとも１つの伝送および前記少なくとも１つの追加伝送が、同期ハイブリッド自動再送要求（ＨＡＲＱ）に対するものである、請求項１に記載の方法。
【請求項９】
前記送信機または前記受信機として動作している基地局から割当を取得することをさらに含み、前記少なくとも１つの追加伝送が、前記割当に従って生成され、送られる、請求項８に記載の方法。
【請求項１０】
前記パケットの前記少なくとも１つの伝送および前記少なくとも１つの追加伝送が、非同期ハイブリッド自動再送要求（ＨＡＲＱ）に対するものである、請求項１に記載の方法。
【請求項１１】
前記送信機または前記受信機として動作している基地局から、前記少なくとも１つの伝
送の各々および前記少なくとも１つの追加伝送の各々に対する割当を取得することをさらに含み、前記少なくとも１つの伝送の各々が、前記伝送に対する割当に従って受信され、処理され、並びに、前記少なくとも１つの追加伝送の各々が、前記追加伝送に対する割当に従って生成され、送られる、
請求項１０に記載の方法。
【請求項１２】
前記送信機または前記受信機として動作している基地局から、前記少なくとも１つの伝送の各々に対する割当を取得することと、前記少なくとも１つの伝送の各々は前記伝送に対する割当に従って受信され、処理され、
前記少なくとも１つの追加伝送の各々に対する割当を生成することと、
各前記少なくとも１つの追加伝送に対する前記割当を前記受信機へ送ることとをさらに含み、各前記少なくとも１つの追加伝送が、前記追加伝送に対する割当に従って生成され、送られる、
請求項１０に記載の方法。
【請求項１３】
前記中継器に対する送信電力レベルを、前記中継器からの追加伝送の受信電力が前記受信機において前記送信機からの伝送の受信電力の予め定められた範囲内にあるように決定することをさらに含み、前記少なくとも１つの追加伝送が前記中継器から前記受信機へ前記決定された送信電力レベルで送られる、
請求項１に記載の方法。
【請求項１４】
前記中継器の送信タイミングを、前記中継器からの追加伝送が前記受信機において前記送信機からの伝送の予め定められたタイムウインドウ内で受信されるように調整することをさらに含み、前記少なくとも１つの追加伝送が前記中継器の前記送信タイミングに従って前記中継器から送られる、
請求項１に記載の方法。
【請求項１５】
前記パケットが正しく復号されていない場合、前記パケットの伝送を前記受信機へ送らないこと、をさらに含む、
請求項１に記載の方法。
【請求項１６】
前記送信機または前記受信機として動作している端末との連携の表示を受信することと、
前記端末との連携の前記表示の受信に応答して前記端末に対するパケットの伝送を中継することと、
をさらに含む、請求項１に記載の方法。
【請求項１７】
前記送信機が基地局であり、および前記受信機が端末であり、かつ、前記少なくとも１つの伝送が、順方向リンク上で前記基地局から前記端末へ送られる、請求項１に記載の方法。
【請求項１８】
前記送信機が端末であり、および前記受信機が基地局であり、かつ、前記少なくとも１つの伝送が、逆方向リンク上で前記端末から前記基地局へ送られる、請求項１に記載の方法。
【請求項１９】
送信機から受信機へ送られたパケットの少なくとも１つの伝送を、中継器において受信するように、
前記パケットを復号するために前記少なくとも１つの伝送を、前記中継器において処理するように、ここにおいて、前記少なくとも１つの伝送は、前記パケットが正しく復号されるまで、無線周波数（ＲＦ）リピータとして動作して、（ｉ）前記送信機から受信された信号を再調整してリピート信号を生成し、（ｉｉ）前記中継器から前記受信機へ前記リピート信号を送信することによって処理される、
前記中継器において、前記パケットを正しく復号した後に、メッシュノードとして動作して、前記復号されたパケットに基づいて前記パケットの少なくとも１つの追加伝送を生成するように、および
前記パケットの前記少なくとも１つの追加伝送を前記中継器から前記受信機へ送るように、
構成された少なくとも１つのプロセッサ、
を含む無線通信のための装置。
【請求項２０】
前記少なくとも１つのプロセッサが、
前記パケットの各追加伝送の後に前記受信機からの肯定応答（ＡＣＫ）を探索するように、
ＡＣＫが受信されない場合、前記パケットの別の追加伝送を送るように、および
ＡＣＫが受信された場合、前記パケットの伝送を終了するように、構成された、請求項１９に記載の装置。
【請求項２１】
前記少なくとも１つのプロセッサが、
前記送信機からの前記パケットの各前記少なくとも１つの伝送の後に、前記パケットが正しく復号されたかどうかを決定するように、および
前記パケットが正しく復号された場合、肯定応答（ＡＣＫ）を前記送信機へ送るように、構成された、請求項１９に記載の装置。
【請求項２２】
前記少なくとも１つのプロセッサが、
前記パケットに対する少なくとも１つの割当を受信するように構成され、前記少なくとも１つの割当が、基地局から端末へ送られ、前記中継器によって傍受され、または前記基地局から前記中継器へ送られ、前記基地局が前記送信機もしくは前記受信機である請求項１９に記載の装置。
【請求項２３】
前記少なくとも１つのプロセッサが、
前記パケットに対する少なくとも１つの割当を受信するように、
前記少なくとも１つの割当に基づいて前記パケットに対する割り当てられた資源を決定するように、
前記少なくとも１つの割当に基づいて前記パケットに対するパケットフォーマットを決定するように、
前記割り当てられた資源上で前記少なくとも１つの伝送を受信するように、
前記パケットフォーマットに従って前記少なくとも１つの伝送を処理するように、
前記パケットフォーマットに従って前記少なくとも１つの追加伝送を生成するように、
および
前記割り当てられた資源上で前記少なくとも１つの追加伝送を送るように、構成された、請求項１９に記載の装置。
【請求項２４】
送信機から受信機へ送られたパケットの少なくとも１つの伝送を、中継器において受信するための手段と、
前記パケットを復号するために前記少なくとも１つの伝送を、前記中継器において処理するための手段と、ここにおいて、前記少なくとも１つの伝送は、前記パケットが正しく復号されるまで、無線周波数（ＲＦ）リピータとして動作して、（ｉ）送信機から受信された信号を再調整してリピート信号を生成し、（ｉｉ）中継器から受信機へ前記リピート信号を送信することによって処理される、
前記中継器において、前記パケットを正しく復号した後に、メッシュノードとして動作して、前記復号されたパケットに基づいて前記パケットの少なくとも１つの追加伝送を生成するための手段と、
前記パケットの前記少なくとも１つの追加伝送を前記中継器から前記受信機へ送るための手段と、
を含む、無線通信のための装置。
【請求項２５】
前記パケットの各前記少なくとも１つの追加伝送の後に前記受信機からの肯定応答（ＡＣＫ）を探索するための手段と、
前記ＡＣＫが受信されない場合、前記パケットの別の追加伝送を送るための手段と、
前記ＡＣＫが受信された場合、前記パケットの伝送を終了するための手段と、
をさらに含む、請求項２４に記載の装置。
【請求項２６】
前記送信機からの前記パケットの各前記少なくとも１つの伝送の後に、前記パケットが正しく復号されたかどうかを決定するための手段と、
前記パケットが正しく復号された場合、肯定応答（ＡＣＫ）を前記送信機へ送るための手段と、
をさらに含む、請求項２４に記載の装置。
【請求項２７】
前記パケットに対する少なくとも１つの割当を受信するための手段をさらに含み、前記少なくとも１つの割当が、基地局から端末へ送られ、前記中継器によって傍受され、または前記基地局から前記中継器へ送られ、前記基地局が前記送信機もしくは前記受信機である、請求項２４に記載の装置。
【請求項２８】
前記パケットに対する少なくとも１つの割当を受信するための手段と、
前記少なくとも１つの割当に基づいて、前記パケットに対する割り当てられた資源を決定するための手段と、
前記少なくとも１つの割当に基づいて前記パケットに対するパケットフォーマットを決定するための手段とをさらに含み、前記少なくとも１つの伝送が前記割り当てられた資源上で受信され、前記パケットフォーマットに従って処理され、および前記少なくとも１つの追加伝送が前記パケットフォーマットに従って生成され、前記割り当てられた資源上で送られる、
請求項２４に記載の装置。
【請求項２９】
少なくとも１つの計算機に、送信機から受信機へ送られたパケットの少なくとも１つの伝送を、中継器において受信させるためのコードと、
前記少なくとも１つの計算機に、前記パケットを復号するために前記少なくとも１つの伝送を、前記中継器において処理させるためのコードと、ここにおいて、前記少なくとも１つの伝送は、前記パケットが正しく復号されるまで、無線周波数（ＲＦ）リピータとして動作して、（ｉ）送信機から受信された信号を再調整してリピート信号を生成し、（ｉｉ）中継器から受信機へ前記リピート信号を送信することによって処理される、
前記少なくとも１つの計算機に、前記中継器において、前記パケットを正しく復号した後に、メッシュノードとして動作して、前記復号されたパケットに基づいて前記パケットの少なくとも１つの追加伝送を生成させるためのコードと、
前記少なくとも１つの計算機に、前記パケットの前記少なくとも１つの追加伝送を前記中継器から前記受信機へ送らせるためのコードと、
を含む、計算機可読記憶媒体。
【請求項３０】
送信機から、受信機へのパケットの少なくとも１つの伝送を送ることと、ここで、前記パケットの前記少なくとも１つの伝送が中継器によって受信され、
前記中継器が、前記パケットを正しく復号した後に、メッシュノードとして動作して、前記復号されたパケットに基づいて前記パケットの少なくとも１つの追加伝送を前記受信機へ送り、
前記中継器において前記パケットが正しく復号されるまで、前記中継器は、無線周波数（ＲＦ）リピータとして動作して、（ｉ）前記送信機から受信された信号を再調整してリピートされた信号を生成し、（ｉｉ）前記受信機へ前記リピートされた信号を送信する、
前記パケットに対する肯定応答（ＡＣＫ）を前記送信機で受信することと、
前記ＡＣＫを受信することに応答して前記パケットの伝送を終了することと、
を含む、無線通信のための方法。
【請求項３１】
前記パケットに対する少なくとも１つの割当を取得することをさらに含み、前記少なくとも１つの割当が、前記送信機から前記受信機へ送られるか、または前記受信機から前記送信機によって受信され、前記パケットの前記少なくとも１つの伝送が、前記少なくとも１つの割当に従って生成され、送られる、請求項３０に記載の方法。
【請求項３２】
前記ＡＣＫが、前記受信機から受信される、請求項３０に記載の方法。
【請求項３３】
前記ＡＣＫが、前記中継器から受信される、請求項３０に記載の方法。
【請求項３４】
前記パケットに対する第２のＡＣＫを前記受信機から受信することと、
前記第２のＡＣＫの受信後に、別のパケットの少なくとも１つの伝送を送ることと、
をさらに含む、請求項３３に記載の方法。
【請求項３５】
前記送信機において前記受信機に対する目標受信信号品質を得るために、前記受信機の送信電力を調整すること、
をさらに含む、請求項３０に記載の方法。
【請求項３６】
送信機から、受信機へのパケットの少なくとも１つの伝送を送るように、
前記パケットの前記少なくとも１つの伝送が中継器によって受信されるように、
ここで、前記中継器は、前記パケットを正しく復号した後に、メッシュノードとして動作して、前記復号されたパケットに基づいて前記パケットの少なくとも１つの追加伝送を前記受信機へ送り、
前記中継器において前記パケットが正しく復号されるまで、前記中継器は、無線周波数（ＲＦ）リピータとして動作して、（ｉ）前記送信機から受信された信号を再調整してリピートされた信号を生成し、（ｉｉ）前記受信機へ前記リピートされた信号を送信する、
前記パケットに対する肯定応答（ＡＣＫ）を前記送信機で受信するように、および
前記ＡＣＫを受信することに応答して前記パケットの伝送を終了するように構成された、少なくとも１つのプロセッサ、
を含む、無線通信のための装置。
【請求項３７】
前記少なくとも１つのプロセッサが、
前記パケットに対する少なくとも１つの割当を取得するように、前記少なくとも１つの割当が前記送信機から前記受信機へ送られるかまたは前記受信機から前記送信機によって受信され、および
前記パケットの前記少なくとも１つの伝送を、前記少なくとも１つの割当に従って生成し、送るように構成された、請求項３６に記載の装置。
【請求項３８】
前記少なくとも１つのプロセッサが、
前記受信機から前記ＡＣＫを受信するように構成された、請求項３６に記載の装置。
【請求項３９】
前記少なくとも１つのプロセッサが、
前記中継器から前記ＡＣＫを受信するように、
前記パケットに対する第２のＡＣＫを前記受信機から受信するように、
前記第２のＡＣＫを受信後に、別のパケットの少なくとも１つの伝送を送るように構成された、請求項３６に記載の装置。
【請求項４０】
受信機において、パケットの少なくとも１つの伝送を送信機から受信することと、
前記受信機において、前記パケットの少なくとも１つの追加伝送をメッシュノードとして動作する中継器から受信することと、ここで、前記中継器において前記パケットが正しく復号されるまで、前記中継器は、無線周波数（ＲＦ）リピータとして動作して、（ｉ）前記送信機から受信された信号を再調整してリピートされた信号を生成し、（ｉｉ）前記受信機へ前記リピートされた信号を送信する、
前記受信機において、前記パケットを復号するために、前記少なくとも１つの伝送および前記少なくとも１つの追加伝送を処理することと、
前記受信機において、前記パケットを正しく復号した後に、前記パケットに対する肯定応答（ＡＣＫ）を送ることと、
を含む、無線通信のための方法。
【請求項４１】
前記パケットに対して割り当てられた資源を含む少なくとも１つの割当を受信することをさらに含み、前記少なくとも１つの伝送および前記少なくとも１つの追加伝送が前記割り当てられた資源で受信される、
請求項４０に記載の方法。
【請求項４２】
前記パケットに対するパケットフォーマットを含む少なくとも１つの割当を受信することをさらに含み、前記少なくとも１つの伝送および前記少なくとも１つの追加伝送が前記パケットを復号するために前記パケットフォーマットに従って処理される、
請求項４０に記載の方法。
【請求項４３】
受信機において、パケットの少なくとも１つの伝送を送信機から受信するように、
前記受信機において、前記パケットの少なくとも１つの追加伝送をメッシュノードとして動作する中継器から受信するように、ここで、前記中継器は、前記中継器において前記パケットが正しく復号されるまで、無線周波数（ＲＦ）リピータとして動作して、前記送信機から受信された信号を再調整してリピートされた信号を生成し、前記受信機へ前記リピートされた信号を送信する、
前記受信機において、前記パケットを復号するために前記少なくとも１つの伝送および前記少なくとも１つの追加伝送を処理するように、並びに
前記受信機において、前記パケットを正しく復号した後に、前記パケットに対する肯定応答（ＡＣＫ）を送るように構成された少なくとも１つのプロセッサ、
を含む、無線通信のための装置。
【請求項４４】
前記少なくとも１つのプロセッサが、
前記パケットに対して割り当てられた資源を含む少なくとも１つの割当を受信するように、並びに
前記少なくとも１つの伝送および前記少なくとも１つの追加伝送を前記割り当てられた資源上で受信するように構成された、請求項４３に記載の装置。
【請求項４５】
前記少なくとも１つのプロセッサが、
前記パケットに対するパケットフォーマットを含む少なくとも１つの割当を受信するように、並びに
前記少なくとも１つの伝送および前記少なくとも１つの追加伝送を、前記パケットを復号するために前記パケットフォーマットに従って処理するように構成された、請求項４３に記載の装置。
【発明の詳細な説明】
【技術分野】
【０００１】
本開示は一般に通信に関する。より詳細には、無線通信のための伝送手法に関する。
【背景技術】
【０００２】
無線通信ネットワークは音声、ビデオ、パケットデータ、メッセージング、ブロードキャストなどの種々の通信サービスを提供するために広く展開される。これらの無線ネットワークは利用可能なネットワーク資源を共有することにより、複数のユーザに対して通信をサポートすることができ得る。そのような無線ネットワークの例は、広い地理的領域に通信カバレッジを提供する無線広域ネットワーク（ＷＷＡＮ）、中程度の地理的領域に通信カバレッジを提供する無線メトロポリタンエリアネットワーク（ＷＭＡＮ）、および狭い地理的領域に通信カバレッジを提供する無線ローカルエリアネットワーク（ＷＬＡＮ）を含む。
【０００３】
無線ネットワークのカバレッジを改良することは望ましいことであり得る。このことは、無線周波数（ＲＦ）リピータおよび／またはメッシュノードを用いることによって達成され得る。ＲＦリピータはＲＦ信号を受信し、受信ＲＦ信号を増幅し、さらに増幅されたＲＦ信号を送信し得る。ＲＦリピータは干渉も所望信号も増幅し得る。さらに、ＲＦリピータ内のＲＦ回路からの雑音は増幅されたＲＦ信号に注入され得て、所望信号を劣化させ得る。このように、ＲＦリピータはリンクバジェットを改善し得るが、ネットワーク容量の損失を引き起こし得る。メッシュノードは、端末には基地局のように、基地局には端末のように見えるノードである。メッシュノードは、基地局と端末との間の通信を容易にするために、基地局および端末の双方と通信し得る。メッシュノードにおいて良好な性能を得るために、メッシュノードと無線ネットワークとの間の広範囲の協調が必要とされ得る。この協調は達成が困難であり得る。
【０００４】
したがって、技術分野において無線ネットワークのカバレッジを改良するためのより効果的な手法に対する要求がある。
【発明の概要】
【０００５】
無線通信ネットワークにおいて伝送を中継するための手法がここに説明される。一態様において、中継器は、（ｉ）パケットを復号するために送信機からのパケットの少なくとも１つの伝送を受信し処理することにより、および（ｉｉ）パケットを正しく復号した後にパケットの少なくとも１つの追加伝送を生成し受信機へ送ることにより伝送を中継し得る。（１つ又は複数の）伝送および（１つ又は複数の）追加伝送はパケットに対して異なる冗長情報を含むハイブリッド自動再送要求（ＨＡＲＱ）伝送であり得る。この手法は順方向および逆方向リンクの双方でデータ伝送に用いられ得る。順方向リンクにおいて、送信機は基地局であり得、受信機は端末であり得る。逆方向リンクにおいて、送信機は端末であり得、受信機は基地局であり得る。
【０００６】
一設計において、中継器はパケットに対する少なくとも１つの割当を受信し得る。このパケットは（ｉ）基地局から端末に送られ、中継器で傍受されるか、または（ｉｉ）基地局から中継器に送られ得る。中継器は送信機から受信機へ送られるパケットの少なくとも１つの伝送を受信し得る。中継器はパケットを復号するために少なくとも１つの伝送を処理し得る。また中継器はパケットを正しく復号した後にパケットの少なくとも１つの追加伝送を生成し得る。中継器はパケットの少なくとも１つの追加伝送を受信機へ送り得る。
【０００７】
一設計において、中継器は少なくとも１つの割当に基づいてパケットに対して割り当てられた資源を決定し得る。中継器は割り当てられた資源上で送信機から少なくとも１つの伝送を受信し得る。また、割り当てられた資源上で受信機へ少なくとも１つの追加伝送を送り得る。一設計において、中継器は少なくとも１つの割当に基づいてパケットに対するパケットフォーマットを決定し得る。中継器はパケットを復号するためにパケットフォーマットに従って送信機からの少なくとも１つの伝送を処理し得る。また、中継器はパケットフォーマットに従って少なくとも１つの追加伝送を生成し得る。
【０００８】
一設計において、中継器はパケットの各追加伝送後に受信機からの肯定応答（ＡＣＫ）を探索し得る。ＡＣＫが受信されない場合、中継器はパケットの別の追加伝送を送り得て、ＡＣＫが受信されるとパケットの伝送を終了し得る。一設計において、中継器は送信機へＡＣＫのフィードバックを送らない。送信機は受信機からＡＣＫを受け取るまでパケットの伝送を送り得る。別の設計において、中継器はパケットを正しく復号した後に、ＡＣＫを送信機に送り得る。送信機は中継器からＡＣＫを受信するとパケットの伝送を終了し得る。また、送信機は受信機からＡＣＫを受信すると別のパケットの伝送を送ることを開始し得る。
【０００９】
本開示の種々の態様および特徴は以下により詳細に説明される。
【図面の簡単な説明】
【００１０】
【図１】無線通信ネットワークを示す図。
【図２】ＨＡＲＱを用いたデータ伝送の設計を示す図。
【図３】ＨＡＲＱを用いた中継伝送の設計を示す図。
【図４】ＨＡＲＱを用いた中継伝送の別の設計を示す図。
【図５】送信機および中継器からのパケットの伝送を示す図。
【図６】中継器によって実行される処理を示す図。
【図７】パケットの伝送を中継するための装置を示す図。
【図８】送信機によって実行される処理を示す図。
【図９】パケットの伝送を送るための装置を示す図。
【図１０】受信機によって実行される処理を示す図。
【図１１】パケットの伝送を受信するための装置を示す図。
【図１２】基地局、中継器、および端末のブロック図。
【発明を実施するための形態】
【００１１】
ここに説明する伝送手法はＷＷＡＮ、ＷＭＡＮ、ＷＬＡＮのような種々の無線通信ネットワークに対して用いられ得る。用語「ネットワーク」および「システム」はしばしば交換可能に用いられる。ＷＷＡＮは符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワーク等であり得る。ＣＤＭＡネットワークはユニバーサル地上無線アクセス（ＵＴＲＡ）、ｃｄｍａ２０００、その他のような無線技術を実施し得る。ＴＤＭＡネットワークはモバイル通信用グローバルシステム（ＧＳＭ（登録商標））のような無線技術を実施し得る。ＯＦＤＭＡネットワークは発展型ＵＴＲＡ（Ｅ−ＵＴＲＡ）、ウルトラモバイルブロードバンド（ＵＭＢ）、Ｆｌａｓｈ−ＯＦＤＭ（Ｒ）、その他のような無線技術を実施し得る。ロングタームエボリューション（ＬＴＥ）はＥ−ＵＴＲＡを用いる「第３世代パートナシッププロジェクト」（３ＧＰＰ）の次期リリース版である。Ｅ−ＵＴＲＡはダウンリンクでＯＦＤＭＡを、アップリンクでＳＣ−ＦＤＭＡを採用する。ＷＬＡＮはＩＥＥＥ８０２．１１の規格ファミリー（Ｗｉ−Ｆｉとも呼ばれる）の１つ以上の規格、ＨｉｐｅｒＬＡＮ、その他を実施し得る。ＷＭＡＮはＩＥＥＥ８０２．１６の規格ファミリー（ＷｉＭＡＸとも呼ばれる）の１つ以上の規格を実施し得る。ここに説明する伝送手法は他の無線技術に対しても上記の無線技術に対しても用いられ得る。
【００１２】
図１は無線通信ネットワーク１００を示す。簡単のために、図１にはただ１つの基地局１１０、１つのインクリメンタル冗長（ＩＲ）中継器１２０、１つの端末１３０、および１つのネットワーク制御器１４０を示す。一般に、無線ネットワークは任意の数の各形式のエンティティを含み得る。
【００１３】
基地局１１０は端末と通信する固定局であり得る。また基地局１１０はノードＢ、発展型ノードＢ（ｅＮｏｄｅ  Ｂ）、アクセスポイント、その他とも呼ばれ得る。基地局１１０は特定の地理的領域に通信カバレッジを提供し得る。ネットワーク容量を向上するために、基地局１１０のカバレッジエリア全体は複数（例えば３）のより小さいエリアに分割され得る。各小エリアはそれぞれの基地局サブシステムによってサービスを受け得る。用語「セル」は基地局の最小のカバレッジエリア、および／またはこのカバレッジエリアをサービスする基地局サブシステムのことを指すことができる。ネットワーク制御器１４０は、一組の基地局に接続し、これらの基地局の協調および制御を提供し得る。ネットワーク制御器１４０は単一のネットワークエンティティまたは複数のネットワークエンティティの総体であり得る。
【００１４】
端末１３０はネットワーク内のどこにでも配置され得るし、固定または移動可能であり得る。端末１３０はアクセス端末、移動局、ユーザ機器、加入者局、局などとも呼ばれ得る。端末１３０は携帯電話、携帯情報端末（ＰＤＡ）、無線通信デバイス、ハンドヘルドデバイス、無線モデム、ラップトップコンピュータ、コードレス電話、無線ローカルループ（ＷＬＬ）局、その他であり得る。端末１３０は順方向および逆方向リンクで基地局１１０と通信し得る。順方向リンク（あるいは、ダウンリンク）は基地局１１０から端末１３０への通信リンクを指し、逆方向リンク（あるいは、アップリンク）は端末１３０から基地局１１０への通信リンクを指す。さらに、端末１３０は、端末１３０に関する知識の有無に係わらず、ＩＲ中継器１２０へ伝送を送り、および／またはＩＲ中継器１２０から伝送を受信し得る。
【００１５】
ＩＲ中継器１２０は特定の端末に対する伝送を受信しおよびこれらの端末に対する追加伝送を送る局であり得る。ＩＲ中継器１２０は順方向および／または逆方向リンク上でデータ伝送をサポートし得る。順方向リンクで、ＩＲ中継器１２０は、基地局（例えば、基地局１１０）から順方向リンク信号を受信し、特定の端末（例えば、端末１３０）に対する伝送を、その端末へ送信されたパケットを復号するために処理し、さらに端末へのパケットの追加伝送を含む順方向リンク中継器信号を送信し得る。逆方向リンクで、ＩＲ中継器１２０は、異なる端末から逆方向リンク信号を受信し、特定の端末（例えば、端末１３０）からの伝送を、その端末によって送られたパケットを復号するために処理し、さらに基地局１１０へのパケットの追加伝送を含む逆方向リンク中継器信号を送信し得る。一般に、ＩＲ中継器１２０は順方向リンクのみ、または逆方向リンクのみ、または順方向および逆方向リンクの双方に対する伝送を中継し得る。ＩＲ中継器１２０は各リンク上で任意の数の端末に対する伝送も中継し得る。
【００１６】
ネットワークはＨＡＲＱを利用し得る。これはインクリメンタル冗長と呼ばれ得る。ＨＡＲＱを用いて、送信機はデータのパケットの１つ以上の伝送を、そのパケットが受信機によって正しく復号されるまで、または最大回数の伝送が送られ終わるまで、または他の終了条件に遭遇するまで、一度に１つの伝送で送り得る。ＨＡＲＱはデータ伝送の信頼性を向上し、変化するチャネル状態の存在下でパケットのレート適応をサポートし得る。
【００１７】
図２にＨＡＲＱを用いたデータ伝送の一設計を示す。順方向リンクにおいて、基地局１１０は送信機であり、端末１３０は受信機である。逆方向リンクにおいて、端末１３０は送信機であり、基地局１１０は受信機である。明快さのために、図２に関する以下の説明の多くは順方向リンク上でのデータ伝送のためのものである。
【００１８】
端末１３０は基地局１１０から端末１３０への順方向リンクのチャネル品質を定期的に推定し得て、チャネル品質指標（ＣＱＩ）情報を基地局１１０へ送り得る。基地局１１０はＣＱＩ情報を用いて、データ伝送のために端末１３０をスケジューリングし、端末１３０へのデータ伝送に対するパケットフォーマットを選択し得る。パケットフォーマットはトランスポートフォーマット、変調および符号化方式（ＭＣＳ）、レート、その他を指し得る。選択されたパケットフォーマットは特定の変調方式、特定の符号化率または符号化方式、特定のパケットサイズ、その他に連携され得る。パケットフォーマットは、端末１３０がパケットのＮ個の伝送の後に高い確率でパケットを正しく復号できるように選択され得る。ここでＮは目標の伝送数であり、目標終了と呼ばれ得る。また、パケットの各伝送はＨＡＲＱ伝送とも呼ばれ得る。パケットの異なる伝送は、パケットに対する異なる冗長情報を含み得、また、パケットを復号するために用いられ得る。
【００１９】
基地局１１０は端末１３０に資源割当を送り得る。一般に、この割当はパケットを受信し復号するために用いられるいかなる情報も含み得る。割当はデータ伝送のために端末１３０への割り当てられた特定の資源を伝達し得る。割り当てられた資源は１つ以上の資源ブロックまたはタイルを含み得る。また、各資源ブロックは特定の時間間隔における一組のサブキャリアであり得る。また、割当は選択されたパケットフォーマットを伝達し得る。選択されたパケットフォーマットが送られない場合、端末１３０はブラインド復号を実行し、可能性のある異なるパケットフォーマットでパケットを復号する試みをなし得る。割当は、（ｉ）非継続的で、パケットの１回の伝送にのみ有効、または（ｉｉ）パケットもしくは一組のパケットのすべての伝送に対して、または割当が無効にされるまで、継続的かつ有効であり得る。割当は（図２に示すように）パケットの伝送に先立って送られるか（図２には示さないが）パケットの最初の伝送と共に送られ得る。割当は制御情報を搬送する制御チャネル上で、トラヒックデータを搬送するデータチャネル上で、その他で送られ得る。
【００２０】
基地局１１０はデータパケット（パケットＡ）を、選択されたパケットフォーマットに従って処理（例えば、符号化および変調）し、データシンボルを生成し得る。基地局１１０は割り当てられた資源上でパケットＡの第１の伝送（Ｔｒａｎｓ  １）を端末１３０へ送り得る。端末１３０は第１の伝送を受信し処理（例えば復調および復号）し、パケットＡが誤って復号されたと判定して、基地局１１０へ否定応答（ＮＡＫ）を送り得る。基地局１１０はＮＡＫを受信し、パケットＡの第２の伝送（Ｔｒａｎｓ  ２）を送り得る。端末１３０は第２の伝送を受信し、パケットＡを復号するために第１および第２の伝送を処理し、パケットＡが誤って復号されたと判定して、ＮＡＫを送り得る。基地局１１０はＮＡＫを受信し、パケットＡの第３の伝送（Ｔｒａｎｓ  ３）を送り得る。端末１３０は第３の伝送を受信し、パケットＡを復号するために第１乃至第３の伝送を処理し、パケットＡが誤って復号されたと判定して、ＮＡＫを送り得る。基地局１１０はＮＡＫを受信し、パケットＡの第４の伝送（Ｔｒａｎｓ  ４）を送り得る。端末１３０は第４の伝送を受信し、パケットＡを復号するために第１乃至第４の伝送を処理し、パケットＡが正しく復号されたと判定して、肯定応答（ＡＣＫ）を送り得る。
【００２１】
基地局１１０はＡＣＫを受信し、パケットＡの伝送を終了し得る。基地局１１０は、次に、次のパケット（パケットＢ）を処理し、同様の方法で、パケットＢの伝送を送り得る。簡単さのために図２には示さないが、別の資源割当が、パケットＢに対して送られ得、またパケットＢに対して割り当てられた資源および選択されたパケットフォーマットを含み得る。
【００２２】
伝送時系列は複数のフレームに分割され得る。各フレームは特定の時間期間を有し得る。複数（Ｑ個）のＨＡＲＱインターレースが、各ＨＡＲＱインターレースがＱ個のフレーム分の間隔を空けたフレームを含む状態で、定義され得る。Ｑ個のＨＡＲＱインターレースは互いに１フレーム分オフセットされ得る。所与のパケットのすべての伝送は１つのＨＡＲＱインターレース上の異なるフレームで送られ得る。最大Ｑ個のパケットがＱ個のＨＡＲＱインターレース上で時間インターレースされた方法で並行して送られ得る。
【００２３】
明快さのために、図２はＮＡＫとＡＣＫ双方のフィードバックを示している。ＡＣＫベースの方式においては、ＡＣＫはパケットが正しく復号された場合に送られ得て、ＮＡＫは送られず、ＡＣＫが無いことにより推定される。ＮＡＫは明示的または暗黙的に送られ得る。
【００２４】
図２は、基地局１１０から端末１３０への順方向リンク上のＨＡＲＱを用いたデータ伝送を示す。逆方向リンク上のＨＡＲＱを用いたデータ伝送は同様の方法で行われ得る。逆方向リンクにおいて、基地局１１０は逆方向リンクのチャネル品質を推定し、推定されたチャネル品質に基づいてパケットフォーマットを選択し得る。次に、基地局１１０は割り当てられた資源、選択されたパケットフォーマット、その他を伝達する資源割当を送り得る。端末１３０は選択されたパケットフォーマットに従ってパケットを処理し、割り当てられた資源上でパケットの伝送を基地局１１０へ送り得る。
【００２５】
ＩＲ中継器１２０は順方向および／または逆方向リンク上でのデータ伝送の性能を向上させるために用いられ得る。ＩＲ中継器１２０はこの向上を基地局１１０を通じた協調を用いてまたは用いずに達成し得る。端末１３０は、ＩＲ中継器１２０に影響され得るが、ＩＲ中継器１２０の存在に気づき得るかまたは気づかないことがあり得る。ＩＲ中継器１２０は、以下に説明するように、種々の方法で動作し得る。
【００２６】
図３に、ＩＲ中継器１２０が伝送を中継している状態で、送信機から受信機へのＨＡＲＱを用いたデータ伝送の一設計を示す。（図３に示すように）順方向リンクにおいて、送信機は基地局１１０であり得る。また受信機は端末１３０であり得る。端末１３０は順方向リンクのチャネル品質を推定し、基地局１１０へＣＱＩ情報を送り得る。基地局１１０はＣＱＩ情報に基づいてパケットフォーマットを選択し得、また端末１３０へ資源割当を送り得る。（図３に示さない）逆方向リンクにおいて、送信機は端末１３０であり得る。また受信機は基地局１１０であり得る。基地局１１０は逆方向リンクのチャネル品質を推定し、推定したチャネル品質に基づいてパケットフォーマットを選択し、端末１３０へ資源割当を送り得る。基地局１１０と端末１３０との間のシグナリングは順方向および逆方向リンク上のデータ伝送に対して異なり得る。しかし、パケットの伝送およびＡＣＫ／ＮＡＫのフィードバックは順方向と逆方向リンクにおいて同様であり得る。
【００２７】
順方向および逆方向リンク双方において、ＩＲ中継器１２０は端末１３０に対する割当を種々の方法で取得し得る。一設計において、ＩＲ中継器１２０は端末１３０と同様な方法で、基地局１１０からの割当を搬送する制御チャネルを監視し得る。ＩＲ中継器１２０は端末１３０に対する割当を制御チャネルから取得し得る。別の設計において、ＩＲ中継器１２０は割当を基地局１１０から直接受信し得る。
【００２８】
データ伝送において、送信機はパケットを、選択されたパケットフォーマットに従って処理し得て、パケットＡの第１の伝送を、割り当てられた資源で送り得る。ＩＲ中継器１２０は送信機から第１の伝送を受信し得て、パケットＡを復号するために第１の伝送を処理し得る。図３に示す例において、ＩＲ中継器１２０は第１の伝送に基づいてパケットＡを正しく復号する。受信機も、送信機から第１の伝送を受信し得て、パケットＡを復号するために第１の伝送を処理し得る。受信機はパケットＡが誤って復号されたと判定し得て、送信機へＮＡＫを送り得る。
【００２９】
送信機は受信機からＮＡＫを受信し得、またパケットＡの第２の伝送を、割り当てられた資源上で送り得る。ＩＲ中継器１２０は復号されたパケットＡに基づいて送信機と同様な方法でパケットＡの第２および後続の伝送を生成し得る。ＩＲ中継器１２０は受信機からＮＡＫを受信し得て、パケットＡの第２の伝送を、第２の伝送のために送信機によって用いられた同じ資源上で送り得る。受信機は送信機およびＩＲ中継器１２０の双方から第２の伝送を受信し得る。受信機は、パケットＡを復号するために、送信機からの第１および第２の伝送、並びにＩＲ中継器１２０からの第２の伝送を処理し得る。受信機はパケットＡが誤って復号されたと判定し得て、ＮＡＫを送り得る。
【００３０】
送信機およびＩＲ中継器１２０は受信機からＮＡＫを受信し得る。両者はパケットＡの第３の伝送を、割り当てられた資源上で送り得る。受信機は送信機およびＩＲ中継器１２０双方から第３の伝送を受信し得る。受信機はパケットＡを復号するために第１乃至第３の伝送を処理し、パケットＡが正しく復号されたと判定し、ＡＣＫを送り得る。送信機およびＩＲ中継器１２０は共に受信機からＡＣＫを受信し得て、パケットＡの伝送を終了し得る。送信機は、次に、次のパケットＢを処理し、同様の方法で、パケットＢの伝送を送り得る。ＩＲ中継器１２０はパケットＢを復号するために送信機から受信した各伝送を処理し得て、パケットを正しく復号した後、パケットＢの伝送の送信を開始し得る。
【００３１】
図４に、ＩＲ中継器１２０が伝送を中継している状態での、送信機から受信機へのＨＡＲＱを用いたデータ伝送の別の設計を示す。（図４に示すように）順方向リンクにおいては、送信機は基地局１１０であり得る。また受信機は端末１３０であり得る。（図３に示さない）逆方向リンクにおいては、送信機は端末１３０であり得る。また受信機は基地局１１０であり得る。基地局１１０および端末１３０はデータ伝送を開始するためのシグナリングを交換し得る。基地局１１０は端末１３０へ資源割当を送り得る。割当は割り当てられた資源、選択されたパケットフォーマットなどを伝達し得る。ＩＲ中継器１２０は、図３について上述したように、割当を取得し得る。
【００３２】
データ伝送において、送信機はパケットを、選択されたパケットフォーマットに従って処理し得、またパケットＡの第１の伝送を、割り当てられた資源上で送り得る。ＩＲ中継器１２０は送信機から第１の伝送を受信し得て、パケットＡを復号するために第１の伝送を処理し得る。ＩＲ中継器１２０はパケットＡが正しく復号されたと判定し得、次に送信機へＡＣＫを送り得る。受信機は送信機から第１の伝送を受信し得て、パケットＡを復号するために第１の伝送を処理し得る。受信機はパケットＡが誤って復号されたと判定し得、次に送信機へＮＡＫを送り得る。
【００３３】
送信機はＩＲ中継器１２０および受信機の双方からＡＣＫ／ＮＡＫフィードバックを受信し得る。一設計において、送信機はＩＲ中継器１２０から受信したＡＣＫに基づいてパケットの伝送を終了し得て、受信機から受信したＡＣＫに基づいて新しいパケットの伝送を開始し得る。図４の例において、送信機はＩＲ中継器１２０からＡＣＫを受信し得て、パケットＡの伝送を終了し得る。送信機は受信機からもＮＡＫを受信し得て、次のパケットＢの伝送を遅延させ得る。ＩＲ中継器１２０も、受信機からＮＡＫを受信し得て、受信機がパケットＡを正しく復号しなかったことを認識し得る。ＩＲ中継器１２０はパケットＡを、選択されたパケットフォーマットに従って処理（例えば、符号化および変調）し得て、パケットＡの第２の伝送を、送信機と同様の方法で割り当てられた資源上で送り得る。受信機はＩＲ中継器１２０から第２の伝送を受信し得て、送信エンティティが変わったことに気づかないことがあり得る。受信機はパケットＡを復号するために第１および第２の伝送を処理し、パケットＡが誤って復号されたと判定し、ＮＡＫを送信し得る。ＩＲ中継器１２０は受信機からＮＡＫを受信し得て、パケットＡの第３の伝送を、割り当てられた資源上で送り得る。受信機はＩＲ中継器１２０から第３の伝送を受信し、パケットＡを復号するために第１乃至第３の伝送を処理し、パケットＡが正しく復号されたと判定し、ＡＣＫを送り得る。
【００３４】
送信機は受信機からＡＣＫを受信し得、次のパケットＢの伝送を開始し得る。ＩＲ中継器１２０も、端末１３０からＡＣＫを受信し得て、パケットＡの伝送を終了し得る。パケットＢはパケットＡと同様の方法で送信され得る。
【００３５】
図３および図４の設計は順方向および逆方向リンク双方上でのデータ伝送に用いられ得る。所与のリンク上でのデータ伝送において、ＩＲ中継器１２０はパケットに対する割当を取得し得、また受信機へ送信機によって送られたパケットの伝送を受信することが可能であり得る。ＩＲ中継器１２０は、受信機と同様な方法で、パケットの各伝送後にパケットの復号を試み得る。送信機からＩＲ中継器１２０へのリンクは送信機から受信機へのリンクより良好であり得る。従って、ＩＲ中継器１２０は受信機より少ない伝送でパケットの復号に成功でき得る。パケットの復号に成功した後、ＩＲ中継器１２０は、復号されたパケットに基づいておよび送信機と同じ方法で、パケットの後続する伝送を生成し得る。ＩＲ中継器１２０は各後続伝送を、必要に応じて送信機と同じ資源上で、パケットが受信機で正しく復号されるまで送り得る。
【００３６】
図３および図４の設計は同期および非同期ＨＡＲＱの双方で用いられ得る。同期ＨＡＲＱにおいて、パケットのすべての伝送に対する割り当てられた資源およびパケットフォーマットは例えば図３および図４に示すような最初の割当によって提供され得る。非同期ＨＡＲＱにおいて、パケットの各伝送は独立してスケジューリングされ得る。図３の非同期ＨＡＲＱにおいて、送信機は受信機からのＡＣＫが受信されるまでパケットの伝送を送り得、またパケットのすべての伝送に対する割当を送り得る。ＩＲ中継器１２０は送信機からの割当を傍受し得、また割当に従って後続の伝送を送り得る。
【００３７】
図４の非同期ＨＡＲＱにおいて、送信機はＡＣＫがＩＲ中継器１２０から受信されるまでパケットの伝送を送り得、また送信機によって送られるすべての伝送に対する割当を送り得る。ＩＲ中継器１２０による後続の伝送のための割当は種々の方法で送られ得る。一設計において、送信機はパケットの伝送を中止した後でも割当を生成し送り続け得る。送信機は送信機が依然として送信しているかのように、ＩＲ中継器１２０による後続伝送のための割当を生成し得る。別の設計において、送信機は送信を中止するとき、割当を送ることを中止し得る。ＩＲ中継器１２０は受信機への後続伝送のための割当を生成し送り得る。ＩＲ中継器１２０は送信機からの最初の割当における割り当てられた資源およびパケットフォーマットを用い得る。さらに別の設計において、送信機が送信を中止すると、ＩＲ中継器１２０は送信機と同じ方法で後続の伝送に対して資源を割当し、パケットフォーマットを選択し、割当を生成し得る。ＩＲ中継器１２０は後続の伝送に対する資源のプールを（例えば基地局によって）予め配分され得、およびこのプールから資源を割当し得る。また、伝送のための割当は、非同期ＨＡＲＱに対して、他の方法で生成され送られ得る。
【００３８】
同期および非同期ＨＡＲＱ双方において、受信機は送信機から、および場合によってはＩＲ中継器１２０から伝送を受信し得る。受信機は伝送がどこから来ているかを知る必要がないことがあり得、またＩＲ中継器１２０の存在を知る必要がないことがあり得る。送信機も、ＩＲ中継器１２０が存在して、パケットの伝送を送っているかどうかを知る必要がないことがあり得る。
【００３９】
受信機はパケットの各伝送に対しＡＣＫまたはＮＡＫを送り得る。ＩＲ中継器１２０から送信機へのＡＣＫ／ＮＡＫフィードバックが、図４に示すように、サポートされる場合、送信機はＩＲ中継器１２０からＡＣＫを受信すると、パケットの伝送を終了し得る。このことは干渉を低減し、ネットワーク全体の特性を向上させ得る。ＩＲ中継器１２０から送信機へのＡＣＫ／ＮＡＫフィードバックが、図３に示すように、サポートされない場合、送信機およびＩＲ中継器１２０は共に受信機からのＡＣＫが受信されるまでパケットの伝送を送り得る。
【００４０】
図３または図４には示されない別の設計において、ＩＲ中継器１２０は（ｉ）ＲＦリピータとして動作し、パケットが正しく復号されるまでリピートされた信号を送信し、および（ｉｉ）中継器として動作し、パケットが正しく復号された後に、中継器信号を送信し得る。パケットを正しく復号する前に、ＩＲ中継器１２０は送信機からの送信機信号を受信し、リピートされた信号を生成するために受信信号を再調整（例えば増幅およびフィルタリング）し、リピートされた信号を受信機へ送信し得る。パケットの復号に成功した後、ＩＲ中継器１２０は復号されたパケットに基づいてパケットの後続伝送を生成し、パケットのこれらの伝送を用いて中継器信号を生成し、中継器信号を受信機へ送信し得る。この設計はパケットの初期の伝送に対する性能を改善し得る。
【００４１】
ＩＲ中継器１２０がリピートされた信号を送信するか否かに係わらず、ＩＲ中継器１２０によって生成されたより高い品質の中継器信号に起因して、改善された性能が達成され得る。ＩＲ中継器１２０は送信機に比較的近く設置され得、また送信機から良好な品質で伝送を受信でき得る。ＩＲ中継器１２０は１つまたは少数のパケットの伝送後に、送信機からのパケットを正しく復号でき得る。ＩＲ中継器１２０は復号されたパケットに基づいて後続伝送を生成でき得る。ＩＲ中継器１２０から受信機への中継リンクは送信機から受信機への直接リンクよりも良好であり得る。受信機はＩＲ中継器１２０から、送信機からの伝送よりも良好な品質で伝送を受信でき得る。したがって、受信機は、ＩＲ中継器１２０からの支援によって、送信機により送られたパケットをより少ない伝送で正しく復号でき得る。
【００４２】
一設計において、ＩＲ中継器１２０からの中継器信号および送信機からの送信機信号は送信されているパケットに関して同一の波形を有し得る。送信機およびＩＲ中継器１２０は受信機には単一周波数ネットワーク（ＳＦＮ）における２つの局として見え得る。この設計において、受信機は送信機信号および中継器信号の双方を含む受信信号を処理し得る。受信機は２つの信号を区別する必要がないことがあり得、またＩＲ中継器１２０の存在を知っている必要はないことがあり得る。別の設計において、中継器信号は送信機信号から区別可能であり得る。この設計において、受信機は送信機信号および中継器信号を受信し得て、つぎに両信号または強い信号のみを処理し得る。
【００４３】
一設計において、送信機からのパケットの伝送は、パイロットに用いられる資源（すなわち、パイロット資源）上でのパイロットシンボルもデータに用いられる資源（すなわちデータ資源）上でのデータシンボルも含み得る。パイロットは送信機および受信機によって先験的に知られているデータであり、基準、トレーニング、プリアンブル等と呼ばれ得る。ＩＲ中継器１２０からのパケットの伝送はデータ資源上でのデータシンボルおよびパイロット資源上でのパイロットシンボルを含み得る。同じ資源上で送信機およびＩＲ中継器１２０双方からパイロットシンボルを送ることにより、受信機が送信機およびＩＲ中継器１２０双方に対するリンクのチャネル推定を導出することを可能にし得る。受信機は、送信機およびＩＲ中継器１２０に対する個々のチャネル応答を知る必要なしに、チャネル推定に基づいて受信データシンボルを、復調し得る。
【００４４】
一設計において、ＩＲ中継器１２０は、送信機からの伝送およびＩＲ中継器１２０からの伝送が受信機においてほぼ時間的に整列するように、パケットの伝送を送り得る。これは、受信機における受信信号の周波数選択を低減させ得、特性を向上させ得る。
【００４５】
図５に、送信機およびＩＲ中継器１２０からパケットの伝送を送るための一設計を示す。送信機はパケットの伝送をＴ０で開始して送り得る。ＩＲ中継器１２０はパケットの伝送をＴ０からΔＴＳＲであり得る時間Ｔ１で開始して送り得る。受信機はＩＲ中継器１２０からのパケットの伝送をＴ１からΔＴＲＤであり得る時間Ｔ２で開始して受信し得る。受信機は送信機からのパケットの伝送もＴ０からΔＴＳＤであり得る時間Ｔ３で開始して受信し得る。ΔＴＳＲは送信機（または、信号源「Ｓ」）からＩＲ中継器１２０（または、中継器「Ｒ」）への伝搬遅延であり得る。ΔＴＲＤはＩＲ中継器１２０から受信機（または、送信先「Ｄ」）への伝搬遅延であり得る。ΔＴＳＤは送信機から受信機への伝搬遅延であり得る。
【００４６】
送信機からの伝送とＩＲ中継器１２０からの伝送が受信機に同時またはほぼ同時に到着することは望ましいことであり得る。一設計において、受信機はＴ２とＴ３との差である受信タイミング差ΔＴＤＩＦＦを決定し得、さらに受信タイミング差をＩＲ中継器１２０へ提供し得る。ＩＲ中継器１２０は受信機での受信タイミング差が０に近くなるように、その送信タイミングを調整し得る。
【００４７】
別の設計において、ＩＲ中継器１２０は受信機での受信タイミング差を減少させるために、その送信タイミングを自律的に調整し得る。ＩＲ中継器１２０はΔＴＳＲを決定し得、またΔＴＳＤがΔＴＳＲとほぼ等しいと仮定し得る。次に、ＩＲ中継器１２０はその送信タイミングを送信機の送信タイミングからΔＴＳＲであるように設定し得る。すなわちその送信タイミングをその受信タイミングと等しくさせ得る。代替的に、ＩＲ中継器１２０はその送信タイミングを送信機の送信タイミングからΔＴＳＲ−ｘであるように設定し得る。ここでｘは適当なオフセット値であり得る。オフセットｘは受信機での受信タイミング差を減少させるように選択され得る。
【００４８】
ＩＲ中継器１２０は、上述したように、順方向および／または逆方向リンク上で特定の端末に対するトラヒックデータを中継し得る。ＩＲ中継器１２０はＡＣＫ／ＮＡＫフィードバックも中継し得る。順方向リンク上で、ＩＲ中継器１２０は端末１３０に対するプロキシとしてサービスし得て、基地局１１０によって送られた伝送の受信確認をし得る。例えば、ＩＲ中継器１２０は端末１３０から伝送に対するＡＣＫまたはＮＡＫを受信し得て、ＡＣＫまたはＮＡＫを基地局１１０へ送り得る。逆方向リンク上で、ＩＲ中継器１２０は基地局１１０に対するプロキシとしてサービスし得て、端末１３０によって送られた伝送の受信確認をし得る。例えば、ＩＲ中継器１２０は基地局１１０から伝送に対するＡＣＫまたはＮＡＫを受信し得て、ＡＣＫまたはＮＡＫを端末１３０へ送り得る。
【００４９】
一設計において、ＩＲ中継器１２０は、受信機におけるＩＲ中継器１２０からの伝送の受信電力が、送信機からの伝送の受信電力の予め定められた範囲内（例えば数ｄＢ内）にあるように、その送信電力レベルを調整し得る。ＩＲ中継器１２０は送信機よりも受信機に近く配置され得て、受信機において同様の受信電力を得るためにその伝送をより低い送信電力で送ることができ得る。これはネットワーク内により少ない干渉をもたらし得る。別の設計において、ＩＲ中継器１２０は、受信機において伝送に対してより高い信号対雑音干渉比（ＳＩＮＲ）を提供するために、より高い送信電力でその伝送を送り得る。より高いＳＩＮＲはより早いパケット終了をもたらし得る。
【００５０】
一設計において、受信機はその受信電力が目標レベルより高いかまたは低いかを示す電力制御コマンドを送り得る。送信機およびＩＲ中継器１２０は電力制御コマンドに基づいてそれらの送信電力レベルを調整し得る。別の設計において、送信機はＩＲ中継器１２０の送信電力を制御し得る。
【００５１】
ＩＲ中継器１２０は受信機からのＣＱＩ情報に基づいてその送信電力を調整し得る。一設計において、送信機はＣＱＩ測定のために受信機によって用いられるパイロットを送り得る。これはＣＱＩ測定パイロットと呼ばれ得る。ＩＲ中継器１２０はそのＣＱＩ測定パイロットを送信機のＣＱＩ測定パイロットの先端部上に重畳し得る。受信機は送信機およびＩＲ中継器１２０からの重畳されたパイロットに基づいて単一のＣＱＩレポートを作成し得る。別の設計において、受信機はＩＲ中継器１２０と明確に連携され得る。また、送信機およびＩＲ中継器１２０は別々のパイロットを送り得る。また、受信機は送信機およびＩＲ中継器１２０へ別々のＣＱＩレポートを送り得る。双方の設計において、ＩＲ中継器１２０は、受信機から受信したＣＱＩレポートに基づいて、例えば目標ＣＱＩを達成するために、その送信電力を調整し得る。
【００５２】
一設計において、端末１３０は、ＩＲ中継器１２０よってではなく、基地局１１０によって電力制御され得る。この設計は、端末１３０が基地局１１０へシグナリング（例えばＡＣＫ／ＮＡＫフィードバック）を信頼性を持って送ることができることを確実にし得る。一設計において、端末１３０へ送られるデータのために基地局１１０によって用いられる送信電力は端末１３０によって制御され得る。
【００５３】
ＩＲ中継器と端末との間に適切な連携がない場合、ＩＲ中継器の使用は、中継器信号が発生する付加的干渉に起因してネットワーク容量を劣化させ得る。（ｉ）基地局と端末との間のチャネル品質、（ｉｉ）基地局とＩＲ中継器との間のチャネル品質、および（ｉｉｉ）ＩＲ中継器と端末との間のチャネル品質、に基づいてＩＲ中継器と端末との間の連携を可能にすることは望ましいことであり得る。基地局と端末との間のチャネル品質は基地局から受信したパイロットに基づいて端末により推定され得て、端末によって報告され得る。ＩＲ中継器と端末との間のチャネル品質はＩＲ中継器および／または端末によって推定され得る。
【００５４】
一設計において、端末１３０は端末１３０と範囲内にあるＩＲ中継器との間のチャネル品質を推定し得る。アクティブセットは端末１３０に対して維持され得、また端末１３０をサービスするように指定された１つ以上の基地局を含み得る。端末１３０はネットワーク内の基地局に対するアクティブセット管理および／またはハンドオフ手順を実行し得る。端末１３０はこれらの手順を、ＩＲ中継器をカバーするように拡張し得る。端末１３０はＩＲ中継器の存在を検出し得て、そのＩＲ中継器に対して捕捉、パイロット測定、パイロット報告などのような動作を実行し得る。ＩＲ中継器は基地局と同様な方法で端末１３０のアクティブセットに加えられ得る。
【００５５】
一設計において、ＩＲ中継器１２０は端末から受信したパイロットの測定をなし得て、パイロット測定値を指定された基地局、例えば基地局１１０、へ報告し得る。報告されたパイロット測定値はどの端末がＩＲ中継器１２０と連携されるべきかを決定するために用いられ得る。この連携は（ｉ）基地局１１０から端末へのリンクについて端末によって報告されたＣＱＩ情報、および（ｉｉ）基地局１１０とＩＲ中継器１２０との間のチャネル品質、にさらに基づいて決定され得る。
【００５６】
一般に、端末は（ｉ）端末と基地局との間のチャネル品質、（ｉｉ）基地局とＩＲ中継器との間のチャネル品質、および（ｉｉｉ）ＩＲ中継器と端末との間のチャネル品質、に基づいて適切なＩＲ中継器と連携され得る。チャネル品質は１つ以上のエンティティにより推定され得て、指定されたエンティティへ報告され得る。指定されたエンティティは端末とＩＲ中継器との間の連携を確立し得て、その連携の表示をすべての影響を受けるエンティティへ送り得る。
【００５７】
ここに説明したＩＲ中継器はＲＦリピータおよびメッシュノードに勝る改良された性能を提供し得る。ＲＦリピータは干渉も所望信号も増幅し得、また付加雑音を注入し得る。メッシュノードは良好な特性を得るために無線ネットワークとの広範な協調を必要とし得る。この協調は達成することが困難であり得る。ＩＲ中継器はＲＦリピータおよびメッシュノードの利点を提供し得る。またＩＲ中継器は過大な干渉を導入することなく、中継される端末に対する信号品質を改善し得る。
【００５８】
図６に、中継器によって実行されるプロセス６００の一設計を示す。中継器はパケットに対する少なくとも１つの割当を受信し得る（ブロック６１２）。少なくとも１つの割当は、（ｉ）基地局から端末へ送られ中継器で傍受され得るか、または（ｉｉ）基地局から中継器に送られ得る。中継器は送信機から受信機へ送られたパケットの少なくとも１つの伝送を受信し得る（ブロック６１４）。順方向リンク上でのデータ伝送において、送信機は基地局であり得、また受信機は端末であり得、また少なくとも１つの伝送は基地局から端末へ送られ得る。逆方向リンク上でのデータ伝送において、送信機は端末であり得、また受信機は基地局であり得、また少なくとも１つの伝送は端末から基地局へ送られ得る。
【００５９】
中継器はパケットを復号するために少なくとも１つの伝送を処理し得る（ブロック６１６）。中継器はパケットを正しく復号した後に、パケットの少なくとも１つの追加伝送を生成し得る（ブロック６１８）。中継器はパケットの少なくとも１つの追加伝送を受信機へ送り得る（ブロック６２０）。
【００６０】
一設計において、中継器は少なくとも１つの割当に基づいてパケットに割り当てられた資源を決定し得る。中継器は割り当てられた資源上で送信機から少なくとも１つの伝送を受信し得、また、割り当てられた資源上で受信機へ少なくとも１つの追加伝送を送り得る。一設計において、中継器は少なくとも１つの割当に基づいてパケットのパケットフォーマットを決定し得る。中継器はパケットフォーマットに従って送信機からの少なくとも１つの伝送を処理し得る。また、中継器はパケットフォーマットに従って少なくとも１つの追加伝送を生成し得る。（１つ又は複数の）伝送および（１つ又は複数の）追加伝送はパケットに対する異なる冗長情報を含むＨＡＲＱ伝送であり得る。
【００６１】
一設計において、中継器はパケットの各追加伝送の後に受信機からのＡＣＫを探索し得る。中継器はＡＣＫが受信されない場合、パケットの別の追加伝送を送り得る。また中継器はＡＣＫが受信される場合、パケットの伝送を終了し得る。一設計において、中継器は、例えば図３に示すように、パケットに対するＡＣＫ／ＮＡＫフィードバックを送らない。別の設計において、中継器は送信機からのパケットの各伝送の後に、パケットが正しく復号されたかどうかを決定し得て、パケットが正しく復号された場合、例えば図４に示すようにＡＣＫを送信機へ送り得る。
【００６２】
一設計において、パケットの少なくとも１つの伝送および少なくとも１つの追加伝送は同期ＨＡＲＱに対するものであり得る。中継器は基地局からパケットのすべての伝送に適用可能な単一の割当を取得し得る。中継器は割当に従って少なくとも１つの追加伝送を生成し、送り得る。
【００６３】
別の設計において、少なくとも１つの伝送および少なくとも１つの追加伝送は非同期ＨＡＲＱに対するものであり得る。一設計において、中継器は基地局からの各伝送および各追加伝送に対する割当を取得し得る。別の設計において、中継器は基地局からの各伝送に対する割当を取得し得て、例えば（ｉ）基地局から受信した割当から取得された資源、または（ｉｉ）中継器によって選択された資源、を用いて各追加伝送に対する割当を生成し送り得る。両設計において、中継器は各伝送に対して取得された割当に従って送信機からのその伝送を受信し、処理し得る。中継器は、また、各追加伝送を、その追加伝送に対する割当に従って生成し受信機へ送り得る。
【００６４】
一設計において、中継器の送信電力レベルは、中継器からの追加伝送の受信電力が（ｉ）受信機において送信機からの伝送の受信電力の予め定めた範囲内になるように、または（ｉｉ）予め定めた絶対範囲内になるように決定され得る。中継器に対する送信電力レベルは他の方法でも決定され得る。中継器は少なくとも１つの追加伝送を、決定された送信電力レベルで受信機へ送り得る。一設計において、中継器の送信タイミングは、中継器からの追加伝送が受信機において送信機からの伝送の予め定められたタイムウインドウ内で受信されるように、調整され得る。中継器はその送信タイミングに従って少なくとも１つの追加伝送を送り得る。
【００６５】
一設計において、例えば図３および図４に示すように、中継器はパケットが正しく復号されていない場合、パケットの伝送を受信機へ送らないことがあり得る。別の設計において、中継器は送信機から受信された信号を再調整し得、さらに再調整された信号を、パケットが正しく復号されるまで、受信機へ送信し得る。
【００６６】
一設計において、中継器は端末との連携の表示を受信し得る。次に、中継器は端末との連携の表示の受信に応答して、（例えば、図３または図４に示すように）端末に対するパケットの伝送を中継し得る。
【００６７】
図７に、伝送を中継するための装置７００の一設計を示す。装置７００は、パケットに対する少なくとも１つの割当を受信するためのモジュール７１２、送信機から受信機へ送られたパケットの少なくとも１つの伝送を中継器において受信するためのモジュール７１４、パケットを復号するために少なくとも１つの伝送を処理するためのモジュール７１６、パケットを正しく復号した後にパケットの少なくとも１つの追加伝送を生成するためのモジュール７１８、および中継器から受信機へパケットの少なくとも１つの追加伝送を送るためのモジュール７２０を含む。
【００６８】
図８に、送信機によって実行されるプロセス８００の一設計を示す。送信機は順方向リンク上でのデータ伝送のための基地局であり得るか、または逆方向リンク上でのデータ伝送のための端末であり得る。送信機はパケットに対する少なくとも１つの割当を取得し得る。少なくとも１つの割当はパケットに対して割り当てられた資源およびパケットフォーマットを含み得る（ブロック８１２）。少なくとも１つの割当は、（ｉ）送信機から受信機へ送られ得るか、または（ｉｉ）受信機から送信機によって受信され得る。送信機は少なくとも１つの割当に従ってパケットの少なくとも１つの伝送を生成し得る（ブロック８１４）。
【００６９】
送信機は、少なくとも１つの伝送が中継器によって受信される状態で、パケットの少なくとも１つの伝送を受信機へ送り得る（ブロック８１６）。中継器は、パケットを正しく復号した後に、パケットの少なくとも１つの追加伝送を受信機へ送り得る。送信機はパケットに対するＡＣＫを受信し得て（ブロック８１８）、ＡＣＫの受信に応答してパケットの伝送を終了し得る（ブロック８２０）。一設計において、例えば図３に示すように、送信機は受信機からＡＣＫを受信し得る。別の設計において、例えば図４に示すように、送信機は中継器からＡＣＫを受信し得る。この設計において、送信機はパケットに対する第２のＡＣＫを受信機から受信し得て、第２のＡＣＫの受信後に別のパケットの伝送を送り得る。
【００７０】
送信機は、送信機において受信機に対する目標受信信号品質を得るように受信機の送信電力を調整し得る。これは、送信機が受信機からＡＣＫ／ＮＡＫフィードバックを信頼性を持って受信できることを確実にし得る。
【００７１】
図９に、伝送を送るための装置９００の一設計を示す。装置９００は、パケットに対する少なくとも１つの割当を取得するためのモジュール９１２、少なくとも１つの割当に従ってパケットの少なくとも１つの伝送を生成するためのモジュール９１４、送信機から受信機へパケットの少なくとも１つの伝送を送るためのモジュールであって、パケットの少なくとも１つの伝送が、パケットを正しく復号した後にパケットの少なくとも１つの追加伝送を受信機へ送る中継器によって受信される、モジュール９１６、パケットに対するＡＣＫを受信するためのモジュール９１８、およびＡＣＫの受信に応答してパケットの伝送を終了するためのモジュール９２０を含む。
【００７２】
図１０に、受信機によって実行されるプロセス１０００の一設計を示す。受信機は順方向リンク上でのデータ伝送のための端末１３０、または逆方向リンク上でのデータ伝送のための基地局１１０であり得る。受信機はパケットに対する少なくとも１つの割当を取得し得る（ブロック１０１２）。少なくとも１つの割当は、（ｉ）送信機から受信機によって受信され得るか、または（ｉｉ）受信機から送信機へ送られ得る。受信機は送信機からパケットの少なくとも１つの伝送を受信し得る（ブロック１０１４）。受信機は中継器からパケットの少なくとも１つの追加伝送も受信し得る（ブロック１０１６）。少なくとも１つの割当は割り当てられた資源を含み得る。また、受信機は割り当てられた資源上で少なくとも１つの伝送および少なくとも１つの追加伝送を受信し得る。受信機はパケットを復号するために少なくとも１つの割当（例えば、パケットフォーマット）に従って少なくとも１つの伝送および少なくとも１つの追加伝送を処理し得る（ブロック１０１８）。受信機は、パケットを正しく復号した後に、パケットに対するＡＣＫを送り得る（ブロック１０２０）。
【００７３】
図１１に、伝送を受信するための装置１１００の一設計を示す。装置１１００はパケットに対する少なくとも１つの割当を取得するためのモジュール１１１２、送信機からパケットの少なくとも１つの伝送を受信するためのモジュール１１１４、中継器からパケットの少なくとも１つの追加伝送を受信するためのモジュール１１１６、パケットを復号するために少なくとも１つの割当に従って少なくとも１つの伝送および少なくとも１つの追加伝送を処理するためのモジュール１１１８、およびパケットを正しく復号した後、パケットに対するＡＣＫを送るためのモジュール１１２０を含む。
【００７４】
図７、図９、および図１１におけるモジュールはプロセッサ、電子デバイス、ハードウェアデバイス、エレクトロニクス部品、論理回路、メモリー、その他、またはそれらのいかなる組合せも含み得る。
【００７５】
図１２に、基地局１１０、ＩＲ中継器１２０、および端末１３０の一設計のブロック図を示す。基地局１１０は順方向リンク上で１つ以上の端末への伝送を送り得、また逆方向リンク上で１つ以上の端末からの伝送を受信し得る。明快さのために、端末１３０のみへ送られ、端末１３０のみから受信された伝送に対する処理を以下に説明する。
【００７６】
基地局１１０において、送信（ＴＸ）データプロセッサ１２１０は端末１３０へ送るデータのパケットを受信し、データシンボルを得るために選択されたパケットフォーマットに従って各パケットを処理（例えば、符号化および変調）し得る。プロセッサ１２１０は各パケットの複数の伝送を生成し得、１回に１つの伝送を出力し得る。プロセッサ１２１０は制御シンボルを得るために制御情報（例えば、資源割当）の処理もし得て、データシンボル、制御シンボル、およびパイロットシンボルを多重化し得る。プロセッサ１２１０は出力サンプルを生成するために、（例えば、ＣＤＭＡ、ＯＦＤＭ、その他のための）多重化されたシンボルをさらに処理し得る。送信機（ＴＭＴＲ）１２１２は順方向リンク信号を生成するために、出力サンプルを調整（例えば、アナログへ変換、増幅、フィルタリングおよびアップコンバージョン）し得る。この信号はＩＲ中継器１２０および端末１３０へ送信され得る。
【００７７】
ＩＲ中継器１２０において、基地局１１０からの順方向リンク信号が受信され、受信機（ＲＣＶＲ）１２３６へ出力され得る。受信機１２３６は受信信号を調整（例えばフィルタリング、増幅、ダウンコンバージョン、およびディジタル化）し、入力サンプルを出力し得る。受信（ＲＸ）データプロセッサ１２３８は受信シンボルを得るために（ＣＤＭＡ、ＯＦＤＭ、その他に対する）入力サンプルを処理し得る。プロセッサ１２３８は受信パイロットシンボルに基づいてチャネル推定値を導出し得る。次に、プロセッサ１２３８は端末１３０に対する検出シンボルを得るために受信データシンボルおよび受信制御シンボルに、チャネル推定値を用いてコヒーレント検出を実行し得る。プロセッサ１２３８は制御情報（例えば割当）および基地局１１０によって端末１３０へ送られたパケットを復元するために検出されたシンボルをさらに処理（例えば復調および復号）し得る。ＴＸデータプロセッサ１２３０はデータシンボルを得るために基地局１１０と同様な方法でプロセッサ１２３８からの正しく復号された各パケットを処理（例えば符号化および変調）し得る。プロセッサ１２３０はデータシンボルとパイロットシンボルとを多重化し、端末１３０へ送る追加伝送のための出力サンプルを得るために、多重化されたシンボルを処理し得る。送信機１２３２はプロセッサ１２３０からの出力サンプルを調整し、端末１３０へ送信され得る順方向リンク中継器信号を生成し得る。
【００７８】
端末１３０において、基地局１１０からの順方向リンク信号およびＩＲ中継器１２０からの順方向リンク中継器信号が受信機１２５２によって受信され、調整され、端末１３０へ送られた割当およびパケットを復元するために、ＲＸデータプロセッサ１２５４によって処理され得る。制御器／プロセッサ１２６０は正しく復号された各パケットに対するＡＣＫを生成し得る。ＡＣＫ／ＮＡＫフィードバックはＴＸデータプロセッサ１２５６によって処理され、逆方向リンク信号を生成するために送信機１２５８によって調整され得る。この信号は基地局１１０およびＩＲ中継器１２０へ送信され得る。
【００７９】
ＩＲ中継器１２０において、端末１３０からの逆方向リンク信号は受信機１２３６によって受信され、さらに調整され、さらに端末１３０によって送られたＡＣＫ／ＮＡＫフィードバックを復元するためにＲＸデータプロセッサ１２３８によって処理され得る。制御器／プロセッサ１２４０はパケットに対するＡＣＫが受信された各パケットの伝送を終了し得る。ＩＲ中継器１２０からのＡＣＫ／ＮＡＫフィードバックがサポートされている場合、制御器／プロセッサ１２４０は基地局１１０からの正しく復号された各パケットに対するＡＣＫを生成し得る。ＡＣＫ／ＮＡＫフィードバックはＴＸデータプロセッサ１２３０によって処理され、逆方向リンク中継器信号を生成するために送信機１２３２によって調整され得る。この信号は基地局１１０へ送信され得る。
【００８０】
基地局１１０において、端末１３０からの逆方向リンク信号およびＩＲ中継器１２０からの逆方向リンク中継器信号は受信機１２１６によって受信され、さらに調整され、さらに端末１３０および場合によってはＩＲ中継器１２０によって送られたＡＣＫ／ＮＡＫフィードバックを復元するためにＲＸデータプロセッサ１２１８によって処理され得る。制御器／プロセッサ１２２０はデータパケットに対するＡＣＫがＩＲ中継器１２０または端末１３０から受信された各データパケットの伝送を終了し得る。制御器／プロセッサ１２２０は端末１３０からＡＣＫが受信されると、新しいパケットの伝送を開始し得る。
【００８１】
制御器／プロセッサ１２２０、１２４０および１２６０はそれぞれ基地局１１０、ＩＲ中継器１２０、および端末１３０における動作を指示し得る。制御器／プロセッサ１２４０は図６の処理６００および／またはここに説明した手法の他の処理を実行または指示し得る。制御器／プロセッサ１２２０および１２６０はそれぞれ図８の処理８００、図１０の処理１０００、および／またはここに説明した手法の他の処理を実行または指示し得る。メモリー１２２２、１２４２および１２６２はそれぞれ基地局１１０、ＩＲ中継器１２０、および端末１３０のためのデータおよびプログラムコードを格納し得る。
【００８２】
当業者は、情報および信号が種々の異なる技術および手法のいずれかを用いて表され得ることを理解するだろう。例えば、上の記述中に参照され得るデータ、命令、指示、情報、信号、ビット、シンボル、およびチップは、電圧、電流、電磁波、磁場もしくは磁性粒子、光学場もしくは光粒子、またはそれらの任意の組合せで表され得る。
【００８３】
当業者は、ここの開示に連携して説明された種々の例示的論理ブロック、モジュール、回路およびアルゴリズムのステップが、電子的ハードウェア、計算機ソフトウェア、またはその双方の組合せとして実施され得ることをさらに認識するだろう。ハードウェアとソフトウェアのこの互換性を明確に例示するために、種々の例示的構成要素、ブロック、モジュール、回路、およびステップは、ここまで、それらの機能の面から一般的に説明してきた。そのような機能がハードウェアまたはソフトウェアとして実施されるかどうかは、全体のシステムに課せられた特定の用途および設計制約に依存する。当業者は、説明した機能を各特定の用途に対して異なる方法で実施し得るが、そのような実施の決定が本開示の範囲からの逸脱を引き起こすと解釈されるべきではない。
【００８４】
ここの開示に関して説明された種々の例示的論理ブロック、モジュール、および回路は、汎用プロセッサ、ディジタル信号プロセッサ（ＤＳＰ）、特定用途向集積回路（ＡＳＩＣ）、フィールドプログラマブルゲートアレイ（ＦＰＧＡ）もしくは他のプログラム可能論理デバイス、個別ゲートもしくはトランジスタ論理、個別ハードウェア部品、またはここに説明した機能を実行するように設計されたそれらの任意の組合せで実施または実行され得る。汎用プロセッサはマイクロプロセッサであり得るが、代替的にはプロセッサは通常のプロセッサ、制御器、マイクロ制御器または状態機械であり得る。プロセッサはまた、計算デバイスの組合せ、例えばＤＳＰとマイクロプロセッサ、複数のマイクロプロセッサ、ＤＳＰコアと連係した１つ以上のマイクロプロセッサ、または任意の他のそのような構成、として実施され得る。
【００８５】
ここの開示に連携して説明された方法またはアルゴリズムのステップは、直接ハードウェアで、プロセッサで実行されるソフトウェアモジュールで、またはその２つの組合せで具体化され得る。ソフトウェアモジュールはＲＡＭメモリー、フラッシュメモリー、ＲＯＭメモリー、ＥＰＲＯＭメモリー、ＥＥＰＲＯＭメモリー、レジスタ、ハードディスク、可搬形ディスク、ＣＤ−ＲＯＭ、または当業者に既知の任意の形式の記憶媒体の中にあり得る。代表的記憶媒体は、プロセッサが情報を記憶媒体から読み出しおよび情報を記憶媒体に書き込むことができるようにプロセッサに接続される。代替的には、記憶媒体はプロセッサの構成部品であり得る。プロセッサおよび記憶媒体はＡＳＩＣ内にあり得る。ＡＳＩＣはユーザ端末内にあり得る。代替的に、プロセッサおよび記憶媒体は個別部品としてユーザ端末内にあり得る。
【００８６】
１つ以上の代表的設計において、説明した機能はハードウェア、ソフトウェア、ファームウェア、またはそれらの任意の組合せで実施され得る。ソフトウェアで実施される場合、機能は、計算機可読媒体上の１つ以上の命令またはコードとして格納されるかまたは伝送され得る。計算機可読媒体は計算機記憶媒体、および１つの場所から他の場所への計算機プログラムの転送を容易にする任意の媒体を含む通信媒体の双方を含む。記憶媒体は汎用または専用計算機によってアクセスされることが可能な任意の利用可能な媒体であり得る。限定としてではなく、例として、そのよう計算機可読媒体は、ＲＡＭ、ＲＯＭ、ＥＥＰＲＯＭ、ＣＤ−ＲＯＭもしくは他の光ディスク記憶、磁気ディスク記憶もしくは他の磁気記憶デバイス、または所望のプログラムコード手段を命令もしくはデータ構造の形式で搬送もしくは格納するために用いられ、かつ汎用もしくは専用計算機または汎用もしくは専用プロセッサによってアクセス可能な任意の他の媒体、を含むことが可能である。また、いかなる接続も適切に計算機可読媒体と呼ばれる。例えば、ソフトウェアがウェブサイト、サーバ、または他のリモートソースから同軸ケーブル、光ファイバケーブル、撚り線、ディジタル加入者線（ＤＳＬ）、または赤外線、無線、およびマイクロ波のような無線技術を用いて送信される場合、同軸ケーブル、光ファイバケーブル、撚り線、ＤＳＬ、または赤外線、無線、およびマイクロ波のような無線技術は媒体の定義に含まれる。ディスク（ｄｉｓｋ）およびディスク（ｄｉｓｃ）はここに用いられると、コンパクトディスク（ＣＤ）、レーザディスク、光ディスク、ディジタル多目的ディスク（ＤＶＤ）、フロッピー（登録商標）ディスクおよびブルーレイディスクを含む。ここでｄｉｓｋは通常、データを磁気的に再生し、ｄｉｓｃはレーザで光学的にデータを再生する。上記の組合せも、計算機可読媒体の範囲内に含まれるべきである。
【００８７】
本開示のこれまでの説明はいかなる当業者も本開示を製造しまたは使用することを可能にするように提供されている。本開示への種々の変形は当業者に容易に明らかになるだろう。また、ここに定義した一般的原理は本開示の精神または範囲から逸脱することなく他の変形例に適用され得る。したがって、本開示は、ここに説明した例および設計に限定されることを意図されておらず、ここに開示した原理および新規な特徴に矛盾しない最も広い範囲が与えられるべきものである。
以下に、本願出願の当初の特許請求の範囲に記載された発明を付記する。
［Ｃ１］中継器において、送信機から受信機へ送られたパケットの少なくとも１つの伝送を受信することと、
前記パケットを復号するために前記少なくとも１つの伝送を処理することと、
前記パケットを正しく復号した後に、前記パケットの少なくとも１つの追加伝送を生成することと、
前記パケットの前記少なくとも１つの追加伝送を前記中継器から前記受信機へ送ることと、
を含む、無線通信のための方法。
［Ｃ２］前記パケットの前記少なくとも１つの伝送および前記少なくとも１つの追加伝送が、前記パケットに対する異なる冗長情報を含むハイブリッド自動再送要求（ＨＡＲＱ）伝送である、Ｃ１に記載の方法。
［Ｃ３］前記パケットの各追加伝送後に、前記受信機からの肯定応答（ＡＣＫ）を探索することと、
ＡＣＫが受信されない場合、前記パケットの別の追加伝送を送ることと、
ＡＣＫが受信された場合、前記パケットの伝送を終了することと、
をさらに含む、Ｃ１に記載の方法。
［Ｃ４］前記送信機からの前記パケットの各伝送の後に、前記パケットが正しく復号されたかどうかを決定することと、
前記パケットが正しく復号された場合、肯定応答（ＡＣＫ）を前記送信機へ送ることと、
をさらに含む、Ｃ１に記載の方法。
［Ｃ５］前記パケットに対する少なくとも１つの割当を受信することをさらに含み、前記少なくとも１つの割当が、基地局から端末へ送られ、前記中継器によって傍受され、または前記基地局から前記中継器へ送られ、前記基地局が前記送信機もしくは前記受信機である、Ｃ１に記載の方法。
［Ｃ６］記パケットに対する少なくとも１つの割当を受信することと、
前記少なくとも１つの割当に基づいて前記パケットに対して割り当てられた資源を決定することとをさらに含み、前記少なくとも１つの伝送が前記割り当てられた資源上で受信され、および前記少なくとも１つの追加伝送が前記割り当てられた資源上で送られる、
Ｃ１に記載の方法。
［Ｃ７］前記パケットに対する少なくとも１つの割当を受信することと、
前記少なくとも１つの割当に基づいて前記パケットに対するパケットフォーマットを決定することとをさらに含み、前記少なくとも１つの伝送が前記パケットフォーマットに従って処理され、および前記少なくとも１つの追加伝送が前記パケットフォーマットに従って生成される、
Ｃ１に記載の方法。
［Ｃ８］前記パケットの前記少なくとも１つの伝送および前記少なくとも１つの追加伝送が、同期ハイブリッド自動再送要求（ＨＡＲＱ）に対するものである、Ｃ１に記載の方法。
［Ｃ９］前記送信機または前記受信機として動作している基地局から割当を取得することをさらに含み、前記少なくとも１つの追加伝送が、前記割当に従って生成され、送られる、Ｃ８に記載の方法。
［Ｃ１０］前記パケットの前記少なくとも１つの伝送および前記少なくとも１つの追加伝送が、非同期ハイブリッド自動再送要求（ＨＡＲＱ）に対するものである、Ｃ１に記載の方法。
［Ｃ１１］前記送信機または前記受信機として動作している基地局から、前記少なくとも１つの伝送の各々および前記少なくとも１つの追加伝送の各々に対する割当を取得することをさらに含み、前記少なくとも１つの伝送の各々が、前記伝送に対する割当に従って受信され、処理され、並びに、前記少なくとも１つの追加伝送の各々が、前記追加伝送に対する割当に従って生成され、送られる、
Ｃ１０に記載の方法。
［Ｃ１２］前記送信機または前記受信機として動作している基地局から、前記少なくとも１つの伝送の各々に対する割当を取得することと、前記少なくとも１つの伝送の各々は前記伝送に対する割当に従って受信され、処理され、
前記少なくとも１つの追加伝送の各々に対する割当を生成することと、
各追加伝送に対する前記割当を前記受信機へ送ることとをさらに含み、各追加伝送が、前記追加伝送に対する割当に従って生成され、送られる、
Ｃ１０に記載の方法。
［Ｃ１３］前記中継器に対する送信電力レベルを、前記中継器からの追加伝送の受信電力が前記受信機において前記送信機からの伝送の受信電力の予め定められた範囲内にあるように決定することをさらに含み、前記少なくとも１つの追加伝送が前記中継器から前記受信機へ前記決定された送信電力レベルで送られる、
Ｃ１に記載の方法。
［Ｃ１４］前記中継器の送信タイミングを、前記中継器からの追加伝送が前記受信機において前記送信機からの伝送の予め定められたタイムウインドウ内で受信されるように調整することをさらに含み、前記少なくとも１つの追加伝送が前記中継器の前記送信タイミングに従って前記中継器から送られる、
Ｃ１に記載の方法。
［Ｃ１５］前記パケットが正しく復号されていない場合、前記パケットの伝送を前記受信機へ送らないこと、をさらに含む、
Ｃ１に記載の方法。
［Ｃ１６］前記パケットが正しく復号されるまで、
前記送信機から受信された信号を再調整することと、
前記中継器から前記受信機へ前記再調整された信号を送信することと、
をさらに含む、Ｃ１に記載の方法。
［Ｃ１７］前記送信機または前記受信機として動作している端末との連携の表示を受信することと、
前記端末との連携の前記表示の受信に応答して前記端末に対するパケットの伝送を中継することと、
をさらに含む、Ｃ１に記載の方法。
［Ｃ１８］前記送信機が基地局であり、および前記受信機が端末であり、かつ、前記少なくとも１つの伝送が、順方向リンク上で前記基地局から前記端末へ送られる、Ｃ１に記載の方法。
［Ｃ１９］前記送信機が端末であり、および前記受信機が基地局であり、かつ、前記少なくとも１つの伝送が、逆方向リンク上で前記端末から前記基地局へ送られる、Ｃ１に記載の方法。
［Ｃ２０］中継器において送信機から受信機へ送られたパケットの少なくとも１つの伝送を受信するように、
前記パケットを復号するために前記少なくとも１つの伝送を処理するように、
前記パケットを正しく復号した後に、前記パケットの少なくとも１つの追加伝送を生成するように、および
前記パケットの前記少なくとも１つの追加伝送を前記中継器から前記受信機へ送るように、構成された少なくとも１つのプロセッサ、
を含む無線通信のための装置。
［Ｃ２１］前記少なくとも１つのプロセッサが、
前記パケットの各追加伝送の後に前記受信機からの肯定応答（ＡＣＫ）を探索するように、
ＡＣＫが受信されない場合、前記パケットの別の追加伝送を送るように、および
ＡＣＫが受信された場合、前記パケットの伝送を終了するように、構成された、Ｃ２０に記載の装置。
［Ｃ２２］前記少なくとも１つのプロセッサが、
前記送信機からの前記パケットの各伝送の後に、前記パケットが正しく復号されたかどうかを決定するように、および
前記パケットが正しく復号された場合、肯定応答（ＡＣＫ）を前記送信機へ送るように、構成された、Ｃ２０に記載の装置。
［Ｃ２３］前記少なくとも１つのプロセッサが、
前記パケットに対する少なくとも１つの割当を受信するように構成され、前記少なくとも１つの割当が、基地局から端末へ送られ、前記中継器によって傍受され、または前記基地局から前記中継器へ送られ、前記基地局が前記送信機もしくは前記受信機であるＣ２０に記載の装置。
［Ｃ２４］前記少なくとも１つのプロセッサが、
前記パケットに対する少なくとも１つの割当を受信するように、
前記少なくとも１つの割当に基づいて前記パケットに対する割り当てられた資源を決定するように、
前記少なくとも１つの割当に基づいて前記パケットに対するパケットフォーマットを決定するように、
前記割り当てられた資源上で前記少なくとも１つの伝送を受信するように、
前記パケットフォーマットに従って前記少なくとも１つの伝送を処理するように、
前記パケットフォーマットに従って前記少なくとも１つの追加伝送を生成するように、および
前記割り当てられた資源上で前記少なくとも１つの追加伝送を送るように、構成された、Ｃ２０に記載の装置。
［Ｃ２５］中継器において、送信機から受信機へ送られたパケットの少なくとも１つの伝送を受信するための手段と、
前記パケットを復号するために前記少なくとも１つの伝送を処理するための手段と、
前記パケットを正しく復号した後に、前記パケットの少なくとも１つの追加伝送を生成するための手段と、
前記パケットの前記少なくとも１つの追加伝送を前記中継器から前記受信機へ送るための手段と、
を含む、無線通信のための装置。
［Ｃ２６］前記パケットの各追加伝送の後に前記受信機からの肯定応答（ＡＣＫ）を探索するための手段と、
ＡＣＫが受信されない場合、前記パケットの別の追加伝送を送るための手段と、
ＡＣＫが受信された場合、前記パケットの伝送を終了するための手段と、
をさらに含む、Ｃ２５に記載の装置。
［Ｃ２７］前記送信機からの前記パケットの各伝送の後に、前記パケットが正しく復号されたかどうかを決定するための手段と、
前記パケットが正しく復号された場合、肯定応答（ＡＣＫ）を前記送信機へ送るための手段と、
をさらに含む、Ｃ２５に記載の装置。
［Ｃ２８］前記パケットに対する少なくとも１つの割当を受信するための手段をさらに含み、前記少なくとも１つの割当が、基地局から端末へ送られ、前記中継器によって傍受され、または前記基地局から前記中継器へ送られ、前記基地局が前記送信機もしくは前記受信機である、Ｃ２５に記載の装置。
［Ｃ２９］前記パケットに対する少なくとも１つの割当を受信するための手段と、
前記少なくとも１つの割当に基づいて、前記パケットに対する割り当てられた資源を決定するための手段と、
前記少なくとも１つの割当に基づいて前記パケットに対するパケットフォーマットを決定するための手段とをさらに含み、前記少なくとも１つの伝送が前記割り当てられた資源上で受信され、前記パケットフォーマットに従って処理され、および前記少なくとも１つの追加伝送が前記パケットフォーマットに従って生成され、前記割り当てられた資源上で送られる、
Ｃ２５に記載の装置。
［Ｃ３０］少なくとも１つの計算機に、中継器において送信機から受信機へ送られたパケットの少なくとも１つの伝送を受信させるためのコードと、
前記少なくとも１つの計算機に、前記パケットを復号するために前記少なくとも１つの伝送を処理させるためのコードと、
前記少なくとも１つの計算機に、前記パケットを正しく復号した後に、前記パケットの少なくとも１つの追加伝送を生成させるためのコードと、
前記少なくとも１つの計算機に、前記パケットの前記少なくとも１つの追加伝送を前記中継器から前記受信機へ送らせるためのコードと、
を含む、計算機可読媒体、
を含む、計算機プログラム製品。
［Ｃ３１］送信機から受信機へのパケットの少なくとも１つの伝送を送ることと、前記パケットの前記少なくとも１つの伝送が中継器によって受信され、前記中継器が、前記パケットを正しく復号した後に前記パケットの少なくとも１つの追加伝送を前記受信機へ送り、
前記パケットに対する肯定応答（ＡＣＫ）を受信することと、
前記ＡＣＫを受信することに応答して前記パケットの伝送を終了することと、
を含む、無線通信のための方法。
［Ｃ３２］前記パケットに対する少なくとも１つの割当を取得することをさらに含み、前記少なくとも１つの割当が、前記送信機から前記受信機へ送られるか、または前記受信機から前記送信機によって受信され、前記パケットの前記少なくとも１つの伝送が、前記少なくとも１つの割当に従って生成され、送られる、Ｃ３１に記載の方法。
［Ｃ３３］前記ＡＣＫが、前記受信機から受信される、Ｃ３１に記載の方法。
［Ｃ３４］前記ＡＣＫが、前記中継器から受信される、Ｃ３１に記載の方法。
［Ｃ３５］前記パケットに対する第２のＡＣＫを前記受信機から受信することと、
前記第２のＡＣＫの受信後に、別のパケットの少なくとも１つの伝送を送ることと、
をさらに含む、Ｃ３４に記載の方法。
［Ｃ３６］前記送信機において前記受信機に対する目標受信信号品質を得るために、前記受信機の送信電力を調整すること、
をさらに含む、Ｃ３１に記載の方法。
［Ｃ３７］送信機から受信機へのパケットの少なくとも１つの伝送を送るように、
前記パケットの前記少なくとも１つの伝送が中継器によって受信されるように、ここで、前記中継器は、前記パケットを正しく復号した後に前記パケットの少なくとも１つの追加伝送を前記受信機へ送り、
前記パケットに対する肯定応答（ＡＣＫ）を受信するように、および
前記ＡＣＫを受信することに応答して前記パケットの伝送を終了するように構成された、少なくとも１つのプロセッサ、
を含む、無線通信のための装置。
［Ｃ３８］前記少なくとも１つのプロセッサが、
前記パケットに対する少なくとも１つの割当を取得するように、前記少なくとも１つの割当が前記送信機から前記受信機へ送られるかまたは前記受信機から前記送信機によって受信され、および
前記パケットの前記少なくとも１つの伝送を、前記少なくとも１つの割当に従って生成し、送るように構成された、Ｃ３７に記載の装置。
［Ｃ３９］前記少なくとも１つのプロセッサが、
前記受信機から前記ＡＣＫを受信するように構成された、Ｃ３７に記載の装置。
［Ｃ４０］前記少なくとも１つのプロセッサが、
前記中継器から前記ＡＣＫを受信するように、
前記パケットに対する第２のＡＣＫを前記受信機から受信するように、
前記第２のＡＣＫを受信後に、別のパケットの少なくとも１つの伝送を送るように構成された、Ｃ３７に記載の装置。
［Ｃ４１］パケットの少なくとも１つの伝送を送信機から受信することと、
前記パケットの少なくとも１つの追加伝送を中継器から受信することと、
前記パケットを復号するために、前記少なくとも１つの伝送および前記少なくとも１つの追加伝送を処理することと、
前記パケットを正しく復号した後に、前記パケットに対する肯定応答（ＡＣＫ）を送ることと、
を含む、無線通信のための方法。
［Ｃ４２］前記パケットに対して割り当てられた資源を含む少なくとも１つの割当を受信することをさらに含み、前記少なくとも１つの伝送および前記少なくとも１つの追加伝送が前記割り当てられた資源で受信される、
Ｃ４１に記載の方法。
［Ｃ４３］前記パケットに対するパケットフォーマットを含む少なくとも１つの割当を受信することをさらに含み、前記少なくとも１つの伝送および前記少なくとも１つの追加伝送が前記パケットを復号するために前記パケットフォーマットに従って処理される、
Ｃ４１に記載の方法。
［Ｃ４４］パケットの少なくとも１つの伝送を送信機から受信するように、
前記パケットの少なくとも１つの追加伝送を中継器から受信するように、
前記パケットを復号するために前記少なくとも１つの伝送および前記少なくとも１つの追加伝送を処理するように、並びに
前記パケットを正しく復号した後に、前記パケットに対する肯定応答（ＡＣＫ）を送るように構成された少なくとも１つのプロセッサ、
を含む、無線通信のための装置。
［Ｃ４５］前記少なくとも１つのプロセッサが、
前記パケットに対して割り当てられた資源を含む少なくとも１つの割当を受信するように、並びに
前記少なくとも１つの伝送および前記少なくとも１つの追加伝送を前記割り当てられた資源上で受信するように構成された、Ｃ４４に記載の装置。
［Ｃ４６］前記少なくとも１つのプロセッサが、
前記パケットに対するパケットフォーマットを含む少なくとも１つの割当を受信するように、並びに
前記少なくとも１つの伝送および前記少なくとも１つの追加伝送を、前記パケットを復号するために前記パケットフォーマットに従って処理するように構成された、Ｃ４４に記載の装置。
【図１】
0005670337.tif 000002
【図２】
0005670337.tif 000003
【図３】
0005670337.tif 000004
【図４】
0005670337.tif 000005
【図５】
0005670337.tif 000006
【図６】
0005670337.tif 000007
【図７】
0005670337.tif 000008
【図８】
0005670337.tif 000009
【図９】
0005670337.tif 000010
【図１０】
0005670337.tif 000011
【図１１】
0005670337.tif 000012
【図１２】
0005670337.tif 000013